(57)【要約】【課題】利便性の高い入退室管理技術を提供する。【解決手段】入退室管理システムは、無線親機と、携帯可能な無線端末と、サーバ装置とを備える。無線親機は、無線親機を識別可能な識別情報を無線により送信する識別情報送信部を備える。無線端末は、識別情報を受信可能な識別情報受信部と、識別情報が識別情報受信部により受信された場合に、無線端末を認証可能な認証情報を含む入室要求信号をサーバ装置に送信する信号送信部と、を備える。サーバ装置は、入室要求信号を受信可能な信号受信部と、入室要求信号が信号受信部により受信された場合に、入室要求信号に含まれる認証情報に基づいて、部屋への入室の許否を判断する制御部と、を備える。【選択図】図１
2013204233.tif 000002
【特許請求の範囲】
【請求項１】
無線親機と、携帯可能な無線端末と、サーバ装置とを備え、所定の部屋への入退室を管理する入退室管理システムであって、
前記無線親機は、
前記無線親機を識別可能な識別情報を無線により送信する識別情報送信部を備え、
前記無線端末は、
前記識別情報を受信可能な識別情報受信部と、
前記識別情報が前記識別情報受信部により受信された場合に、前記無線端末を認証可能な認証情報を含む入室要求信号を前記サーバ装置に送信する信号送信部と、を備え、
前記サーバ装置は、
前記入室要求信号を受信可能な信号受信部と、
前記入室要求信号が前記信号受信部により受信された場合に、前記入室要求信号に含まれる前記認証情報に基づいて、前記部屋への入室の許否を判断する制御部と、を備える
入退室管理システム。
【請求項２】
請求項１に記載の入退室管理システムであって、
前記無線親機として、入室用の無線親機と、退室用の無線親機とを備え、
前記無線端末の信号送信部は、前記入室用の無線親機を識別可能な識別情報が前記識別情報受信部により受信された場合に、前記入室要求信号を前記サーバ装置に送信し、前記退室用の無線親機を識別可能な識別情報が前記識別情報受信部により受信された場合に、前記認証情報を含む退室信号を前記サーバ装置に送信する、入退室管理システム。
【請求項３】
請求項１または請求項２に記載の入退室管理システムであって、
更に、前記サーバ装置の判断部による判断結果に応じて、前記部屋の施解錠を行う施解錠装置を備え、
前記サーバ装置の前記制御部は、前記施解錠装置による前記部屋の施解錠状態にかかわらず、前記部屋への入室の許否を判断する、入退室管理システム。
【請求項４】
請求項１から請求項３までのいずれか一項に記載の入退室管理システムであって、
前記サーバ装置には、前記部屋の出入口に設けられたカメラが接続されており、
前記サーバ装置の前記制御部は、入室可と判断された認証情報の数と、前記カメラによって撮影された人の数とを照合し、前記記録された認証情報の数と、前記カメラによって撮影された人の数とが合致しない場合には、所定の報知手段により報知を行う、入退室管理システム。
【請求項５】
請求項１から請求項４までのいずれか一項に記載の入退室管理システムであって、
前記入室要求信号には、更に、前記識別情報受信部が前記識別情報を受信した受信時刻が含まれ、
前記制御部は、前記入室要求信号に含まれる前記受信時刻と、予め予約された前記部屋の利用時間とに基づいて、前記部屋への入室の許否を判断する、入退室管理システム。
【請求項６】
請求項５に記載の入退室管理システムであって、
前記制御部は、前記部屋への入室を許可した場合に、前記部屋の予約を行った者に対して通知を行う、入退室管理システム。
【請求項７】
請求項５または請求項６に記載の入退室管理システムであって、
前記無線端末は、前記予約された利用時間を超過した場合に、前記部屋に備えられた所定の器具の動作状態を変更させる手段を更に備える、入退室管理システム。
【請求項８】
請求項１から請求項７までのいずれか一項に記載の入退室管理システムであって、
前記サーバ装置は、前記無線親機と通信可能であり、
前記信号送信部は、前記無線親機を介して、前記サーバ装置に前記入室要求信号を送信する、入退室管理システム。
【請求項９】
入退室管理方法であって、
無線親機が、前記無線親機を識別可能な識別情報を無線により送信する識別情報送信工程と、
無線端末が、前記識別情報を受信する識別情報受信工程と、
前記無線端末が、前記識別情報を受信した場合に、前記無線端末を認証可能な認証情報を含む入室要求信号をサーバ装置に送信する送信工程と、
サーバ装置が、前記入室要求信号を受信する信号受信工程と、
前記サーバ装置が、前記入室要求信号を受信した場合に、前記入室要求信号に含まれる前記認証情報に基づいて、前記部屋への入室の許否を判断する制御工程と、
を備える入退室管理方法。
【請求項１０】
携帯可能な無線端末であって、
無線親機を識別可能な識別情報を、前記無線親機から無線により受信する識別情報受信部と、
前記識別情報が前記識別情報受信部により受信された場合に、前記無線端末を認証可能な認証情報を含む入室要求信号をサーバ装置に送信する信号送信部と、
を備え、
前記サーバ装置は、前記入室要求信号を受信した場合に、前記入室要求信号に含まれる前記認証情報に基づいて、部屋への入室の許否を判断する
無線端末。
【請求項１１】
携帯可能なコンピュータにより実行されるプログラムであって、
無線親機を識別可能な識別情報を、前記無線親機から無線により受信する識別情報受信機能と、
前記識別情報が前記識別情報受信機能により受信された場合に、前記無線端末を認証可能な認証情報を含む入室要求信号をサーバ装置に送信する送信機能と、
をコンピュータに実現させるプログラムであり、
前記サーバ装置は、前記入室要求信号を受信した場合に、前記入室要求信号に含まれる前記認証情報に基づいて、部屋への入室の許否を判断する
プログラム。
【発明の詳細な説明】
【技術分野】
【０００１】
本発明は、入退室管理を行う技術に関する。
【背景技術】
【０００２】
近年、入退室管理を行うシステムとして、非接触式のＩＣカードを用いるシステムが広く利用されている（例えば、特許文献１参照）。このシステムでは、会議室等への入退室時に各人が非接触式ＩＣカードをカード読取装置にタッチして読み取らせることで、出入口の施解錠や入場の記録が行われる。
【先行技術文献】
【特許文献】
【０００３】
【特許文献１】特開２００１−３２３６９５号公報
【発明の概要】
【発明が解決しようとする課題】
【０００４】
しかし、非接触式のＩＣカードを用いるシステムでは、非接触とはいえ、入退室を行うたびに、カードを読取装置にかざしたり物理的にタッチさせなければならず、より利便性の高い入退室管理技術が求められていた。
【課題を解決するための手段】
【０００５】
本発明は、上述の課題の少なくとも一部を解決するためになされたものであり、以下の形態又は適用例として実現することが可能である。
【０００６】
［適用例１］無線親機と、携帯可能な無線端末と、サーバ装置とを備え、所定の部屋への入退室を管理する入退室管理システムであって、前記無線親機は、前記無線親機を識別可能な識別情報を無線により送信する識別情報送信部を備え、前記無線端末は、前記識別情報を受信可能な識別情報受信部と、前記識別情報が前記識別情報受信部により受信された場合に、前記無線端末を認証可能な認証情報を含む入室要求信号を前記サーバ装置に送信する信号送信部と、を備え、前記サーバ装置は、前記入室要求信号を受信可能な信号受信部と、前記入室要求信号が前記信号受信部により受信された場合に、前記入室要求信号に含まれる前記認証情報に基づいて、前記部屋への入室の許否を判断する制御部と、を備える入退室管理システム。
【０００７】
このような構成であれば、無線端末が無線親機の識別情報を受信した場合に、サーバ装置に無線端末から入室要求信号が送信され、その入室要求信号に含まれる認証情報に基づいてサーバ装置により入室の許否が判断される。そのため、従来の非接触ＩＤカードのように、カードを読取装置にかざしたり物理的にタッチさせることなく入退室の管理を行うことができる。よって、利便性の高い入退室管理技術を提供することができる。
【０００８】
［適用例２］適用例１に記載の入退室管理システムであって、前記無線親機として、入室用の無線親機と、退室用の無線親機とを備え、前記無線端末の信号送信部は、前記入室用の無線親機を識別可能な識別情報が前記識別情報受信部により受信された場合に、前記入室要求信号を前記サーバ装置に送信し、前記退室用の無線親機を識別可能な識別情報が前記識別情報受信部により受信された場合に、前記認証情報を含む退室信号を前記サーバ装置に送信する、入退室管理システム。このような構成であれば、入室用の無線親機と、退室用の無線親機とからそれぞれ識別情報を受信することで、入室するのか退室したのかを的確に判断することが可能になる。
【０００９】
［適用例３］適用例１または適用例２に記載の入退室管理システムであって、更に、前記サーバ装置の判断部による判断結果に応じて、前記部屋の施解錠を行う施解錠装置を備え、前記サーバ装置の前記制御部は、前記施解錠装置による前記部屋の施解錠状態にかかわらず、前記部屋への入室の許否を判断する入退室管理システム。このような構成であれば、部屋の実際の施解錠とは無関係に無線端末から送信される入室要求信号（認証情報）に基づいて入室の許否が判断されるので、例えば、部屋が解錠された際に、その施錠を待つことなく他のユーザが後を追って部屋に入室しようとした場合であっても、そのユーザの入室の許否を的確に判断することができる。
【００１０】
［適用例４］適用例１から適用例３までのいずれか一に記載の入退室管理システムであって、前記サーバ装置には、前記部屋の出入口に設けられたカメラが接続されており、前記サーバ装置の前記制御部は、入室可と判断された認証情報の数と、前記カメラによって撮影された人の数とを照合し、前記記録された認証情報の数と、前記カメラによって撮影された人の数とが合致しない場合には、所定の報知手段により報知を行う入退室管理システム。このような構成であれば、入室を許可されていない者が、無断で部屋に入室することを抑制することができる。
【００１１】
［適用例５］適用例１から適用例４までのいずれか一に記載の入退室管理システムであって、前記入室要求信号には、更に、前記識別情報受信部が前記識別情報を受信した受信時刻が含まれ、前記制御部は、前記入室要求信号に含まれる前記受信時刻と、予め予約された前記部屋の利用時間とに基づいて、前記部屋への入室の許否を判断する、入退室管理システム。このような構成であれば、予約された部屋の入室管理を行うことができる。
【００１２】
［適用例６］適用例５に記載の入退室管理システムであって、前記制御部は、前記部屋への入室を許可した場合に、前記部屋の予約を行った者に対して通知を行う入退室管理システム。このような構成であれば、予め認証情報を受領した者の部屋への入室が許可されたことが予約者に通知されるため、予約者は、利用者が入室したことを迅速に確認することができる。
【００１３】
［適用例７］適用例５または適用例６に記載の入退室管理システムであって、前記無線端末は、前記予約された利用時間を超過した場合に、前記部屋に備えられた所定の器具の動作状態を変更させる手段を更に備える入退室管理システム。このような構成であれば、部屋の利用者が、予め予約された利用時間を超過してその部屋の使用を継続することを抑制することができる。
【００１４】
［適用例８］適用例１から適用例７までのいずれか一項に記載の入退室管理システムであって、前記サーバ装置は、前記無線親機と通信可能であり、前記信号送信部は、前記無線親機を介して、前記サーバ装置に前記入室要求信号を送信する入退室管理システム。このような構成であれば、部屋の立地や電波環境等によって無線端末とサーバ装置とが直接的に通信を行えないような環境であっても、入退室管理を的確に行うことができる。
【００１５】
［適用例９］入退室管理方法であって、無線親機が、前記無線親機を識別可能な識別情報を無線により送信する識別情報送信工程と、無線端末が、前記識別情報を受信する識別情報受信工程と、前記無線端末が、前記識別情報を受信した場合に、前記無線端末を認証可能な認証情報を含む入室要求信号をサーバ装置に送信する送信工程と、サーバ装置が、前記入室要求信号を受信する信号受信工程と、前記サーバ装置が、前記入室要求信号を受信した場合に、前記入室要求信号に含まれる前記認証情報に基づいて、前記部屋への入室の許否を判断する制御工程と、を備える入退室管理方法。
【００１６】
［適用例１０］携帯可能な無線端末であって、無線親機を識別可能な識別情報を、前記無線親機から無線により受信する識別情報受信部と、前記識別情報が前記識別情報受信部により受信された場合に、前記無線端末を認証可能な認証情報を含む入室要求信号をサーバ装置に送信する信号送信部と、を備え、前記サーバ装置は、前記入室要求信号を受信した場合に、前記入室要求信号に含まれる前記認証情報に基づいて、部屋への入室の許否を判断する無線端末。
【００１７】
［適用例１１］携帯可能なコンピュータにより実行されるプログラムであって、無線親機を識別可能な識別情報を、前記無線親機から無線により受信する識別情報受信機能と、前記識別情報が前記識別情報受信機能により受信された場合に、前記無線端末を認証可能な認証情報を含む入室要求信号をサーバ装置に送信する送信機能と、をコンピュータに実現させるプログラムであり、前記サーバ装置は、前記入室要求信号を受信した場合に、前記入室要求信号に含まれる前記認証情報に基づいて、部屋への入室の許否を判断するプログラム。
【００１８】
これらの適用例８〜１０のように、本発明は、入退室管理システムとしての構成のほか、入退室管理方法や、無線端末、コンピュータプログラムとしても構成することができる。コンピュータプログラムは、コンピュータが読取可能な記録媒体に記録されていてもよい。
【図面の簡単な説明】
【００１９】
【図１】第１実施形態としての入退室管理システムの概略構成を示す説明図である。
【図２】スマートフォンの内部構成を示すブロック図である。
【図３】アクセスポイントの内部構成を示すブロック図である。
【図４】入退室管理サーバの内部構成を示すブロック図である。
【図５】入退室情報データベースに記録される情報を概念的に示す説明図である。
【図６】入退室管理処理のフローチャートである。
【図７】第２実施形態としての入退室管理システムの概略構成を示す説明図である。
【図８】第３実施形態としての入退室管理システムの概略構成を示す説明図である。
【発明を実施するための形態】
【００２０】
Ａ．第１実施形態：
図１は、本発明の第１実施形態としての入退室管理システム１０の概略構成を示す説明図である。本実施形態の入退室管理システム１０は、無線端末としてのスマートフォン１００と、無線親機としてのアクセスポイント２００と、入退室管理サーバ３００と、を備えている。アクセスポイント２００と入退室管理サーバ３００とは、ＬＡＮ（Local Area Network）２０によって接続されている。ＬＡＮ２０は、有線ＬＡＮであってもよいし、無線ＬＡＮであってもよい。また、スマートフォン１００は、無線ＬＡＮによりアクセスポイント２００と通信可能であり、このアクセスポイント２００を介してスマートフォン１００は入退室管理サーバ３００にアクセスすることができる。
【００２１】
アクセスポイント２００は、入退室管理を行う会議室や個室等の部屋５００の出入口５１０付近に設置されている。アクセスポイント２００は、無線ＬＡＮ規格（ＩＥＥＥ８０２．１１シリーズ）におけるインフラストラクチャモードで動作する親機（アクセスポイント）としての機能を備えている。アクセスポイント２００は、所定の通信可能範囲ＡＲ内において無線通信が可能である。アクセスポイント２００は、周期的に発信するビーコン信号により、アクセスポイント２００に予め設定されたＥＳＳＩＤ（Extended Service Set Identifier）を通信可能範囲ＡＲ内に通知する。通信可能範囲ＡＲは、一般的な無線ＬＡＮの通信可能距離よりも狭く設定されていることが好ましい。通信可能範囲ＡＲは、無線の出力強度を調整することで設定することが可能である。
【００２２】
本実施形態では、アクセスポイント２００には、ＥＳＳＩＤとして、「ＡＰ１」という識別子が設定されている。そのため、無線端末としての機能を備えるスマートフォン１００が、アクセスポイント２００の通信可能範囲ＡＲ内に進入すると、アクセスポイント２００から送信されるビーコン信号によって、アクセスポイント２００の「ＡＲ１」というＥＳＳＩＤが受信される。なお、アクセスポイント２００のＥＳＳＩＤは、任意に設定可能である。
【００２３】
スマートフォン１００は、アクセスポイント２００からＥＳＳＩＤ（「ＡＰ１」）を受信すると、アクセスポイント２００を介して入室要求信号または退室信号を入退室管理サーバ３００に送信する。これらの信号には、アクセスポイント２００のＥＳＳＩＤの受信日時が、入室日時や退室日時として含まれる。また、これらの信号には、スマートフォン１００に予め記憶された認証ＩＤが含まれる。認証ＩＤとは、スマートフォン１００のユーザが部屋５００の利用者であることを特定可能な識別情報である。認証ＩＤは、例えば、入退室管理サーバ３００によって提供される所定のＷｅｂサービスを通じて部屋５００の使用を予約した際に、電子メール等の手段によって、入退室管理サーバ３００からスマートフォン１００に配信される。入室要求信号や退室信号を送信するための処理内容の詳細については後述する。
【００２４】
入退室管理サーバ３００は、ＣＰＵやメモリ、ハードディスクを備えるコンピュータとして構成されている。入退室管理サーバ３００は、スマートフォン１００から入室要求信号や退室信号を受信し、内部に記憶された入退室情報データベース３１０に基づき、５００の入退室管理を行う。例えば、入退室管理サーバ３００は、スマートフォン１００から入室要求信号を受信すると、その信号に含まれる認証ＩＤおよび入室日時と、入退室情報データベース３１０とを照合して入室の許否を判断し、入室を許可する場合には、スマートフォン１００に対して、入室許可信号を送信する。スマートフォン１００は、入退室管理サーバ３００から入室許可信号を受信すると、部屋５００の出入口５１０に取り付けられた施解錠装置４００に対して赤外線により解錠指令を送信し、出入口５１０を入室可能とする。
【００２５】
部屋５００には、空調装置５２０や照明装置５３０が備えられている。スマートフォン１００は、所定の条件下において、これらの装置５２０，５３０に赤外線信号を送信し、電源のオン／オフをすることができる。また、部屋５００の出入口５１０付近には、ネットワーク接続型のカメラ４５０が備えられている。カメラ４５０は、ＬＡＮ２０を介して入退室管理サーバ３００と接続されている。入退室管理サーバ３００は、このカメラ４５０によって撮像された画像を周知の方法によって画像解析することで、部屋５００に入室する人の人数をカウントすることができる。
【００２６】
図２は、スマートフォン１００の内部構成を示すブロック図である。スマートフォン１００は、移動体通信網制御回路１１０と、無線ＬＡＮ制御回路１２０と、赤外線通信回路１９５と、ＣＰＵ１３０と、ＲＡＭ１４０と、ＲＯＭ１５０と、モニタ１６０と、フラッシュメモリ１７０と、音声通信を行うためのマイクやスピーカを備える音声回路１８０と、操作部としてのタッチパネル１９０と、を備えている。
【００２７】
無線ＬＡＮ制御回路１２０は、ＩＥＥＥ８０２．１１シリーズに準拠した無線端末（ステーション）として、無線ＬＡＮ通信を行う回路である。スマートフォン１００は、この無線ＬＡＮ制御回路１２０により、アクセスポイント２００を介して入退室管理サーバ３００と通信を行うことができる。
【００２８】
移動体通信網制御回路１１０は、３Ｇ回線やＰＨＳ回線などの移動体通信網に対する通信制御を行う回路である。
【００２９】
赤外線通信回路１９５は、施解錠装置４００や空調装置５２０、照明装置５３０と赤外線通信を行うための回路である。なお、施解錠装置４００や空調装置５２０、照明装置５３０との通信は、赤外線に限らず、ＢｌｕｅＴｏｏｔｈ（登録商標）やＮＦＣ（近距離無線通信）等によって通信を行うこととしてもよい。
【００３０】
ＣＰＵ１３０は、ＲＯＭ１５０に記録された所定の制御プログラムをＲＡＭ１４０にロードして実行することで、識別情報受信部１３１および信号送信部１３２として機能する。
【００３１】
識別情報受信部１３１は、無線ＬＡＮ制御回路１２０を用いて、アクセスポイント２００からＥＳＳＩＤを受信する機能を有している。
【００３２】
信号送信部１３２は、無線ＬＡＮ制御回路１２０を用いて、入退室管理サーバ３００に入室要求信号や退室信号を送信する機能を有している。
【００３３】
図３は、アクセスポイント２００の内部構成を示すブロック図である。アクセスポイント２００は、無線ＬＡＮ制御回路２１０と、有線ＬＡＮ制御回路２２０と、複数のＬＡＮポート２３０と、主制御回路２４０と、を備えている。主制御回路２４０は、ＣＰＵ２４１と、ＲＡＭ２４２と、ＲＯＭ２４３と、ＥＥＰＲＯＭ２４４と、通信制御回路２４５と、を備えている。
【００３４】
無線ＬＡＮ制御回路２１０は、ＩＥＥＥ８０２．１１に準拠した無線親機（アクセスポイント）として、無線ＬＡＮ通信を行う回路である。無線ＬＡＮ制御回路２１０は、ＥＥＰＲＯＭ２４４に記録されているＥＳＳＩＤ（「ＡＰ１」）の送信を行う。無線ＬＡＮ制御回路２１０は、本願の識別情報送信部に相当する。
【００３５】
有線ＬＡＮ制御回路２２０は、ＬＡＮポート２３０を介して接続された他の装置と、有線ＬＡＮ通信を行う回路である。ＬＡＮポート２３０は複数備えられており、そのうちの１つには、入退室管理サーバ３００がＬＡＮ２０を通じて接続される。
【００３６】
主制御回路２４０内のＣＰＵ２４１は、ＲＯＭ２４３に記憶された所定の制御プログラムをＲＡＭ２４２にロードして実行することで、アクセスポイント２００の全般的な動作制御を行う。
【００３７】
通信制御回路２４５は、無線ＬＡＮ制御回路２１０と有線ＬＡＮ制御回路２２０との間における通信を制御する。通信制御回路２４５は、例えば、無線ＬＡＮ制御回路２１０と有線ＬＡＮ制御回路２２０とをブリッジ接続させることや、無線ＬＡＮ制御回路２１０と有線ＬＡＮ制御回路２２０との間の通信を遮断することができる。
【００３８】
図４は、入退室管理サーバ３００の内部構成を示すブロック図である。入退室管理サーバ３００は、ＣＰＵ３２０と、ＲＡＭ３３０と、ＬＡＮ２０を通じてアクセスポイント２００と接続されるネットワークインタフェース３４０と、入退室情報データベース３１０が記憶されるハードディスク３５０とを備えている。
【００３９】
ＣＰＵ３２０は、ハードディスク３５０に記録された所定のプログラムをＲＡＭ３３０にロードして実行することで、信号受信部３２１、画像解析部３２２、制御部３２３として機能する。
【００４０】
信号受信部３２１は、ネットワークインタフェース３４０を通じてスマートフォン１００から入室要求信号や退室信号を受信する機能を有している。
【００４１】
画像解析部３２２は、カメラ４５０から画像を受信して、その画像中に含まれる人の数を解析する機能を有している。
【００４２】
制御部３２３は、信号受信部３２１によって受信された入室要求信号や退室信号と、ハードディスク３５０に記憶された入退室情報データベース３１０とに基づいて、部屋５００の入退室を管理する機能を有している。
【００４３】
図５は、入退室情報データベース３１０に記録される情報を概念的に示す説明図である。図５に示されているように、入退室情報データベース３１０には、入退室管理を行う部屋５００の予約情報が記録されている。予約情報には、予約日時と、予約者名と、予約者のメールアドレスと、その予約日時に部屋５００を利用する利用者の認証ＩＤと、が記録される。スマートフォン１００から入室要求信号や退室信号を受信した場合には、制御部３２３によって、認証ＩＤ毎に、入室日時と退室日時とが記録される。なお、入退室管理を行う部屋が複数存在する場合には、それぞれの部屋毎に、予約情報が記録される。
【００４４】
図６は、入退室管理システム１０において繰り返し実行される入退室管理処理のフローチャートである。図６には、スマートフォン１００において常時実行される処理と入退室管理サーバ３００によって常時実行される処理とを併記している。この入退室管理処理では、まず、スマートフォン１００の識別情報受信部１３１が、部屋５００の出入口５１０付近に設置されたアクセスポイント２００のＥＳＳＩＤ（「ＡＰ１」）を受信したか否かを判断する（ステップＳ１００）。アクセスポイント２００のＥＳＳＩＤが受信されない場合には（ステップＳ１００：ＮＯ）、スマートフォン１００のＣＰＵ１３０は、アクセスポイント２００のＥＳＳＩＤが受信されるまで待機する。アクセスポイント２００のＥＳＳＩＤが受信された場合には（ステップＳ１００：ＹＥＳ）、スマートフォン１００の信号送信部１３２が、入退室管理サーバ３００に、入室要求信号を送信する（ステップＳ１０２）。この入室要求信号には、識別情報受信部１３１がアクセスポイント２００のＥＳＳＩＤを受信した日時が入室日時として含まれ、また、スマートフォン１００のフラッシュメモリ１７０に予め記憶された認証ＩＤが含まれる。
【００４５】
入退室管理サーバ３００は、信号受信部３２１によって、スマートフォン１００から入室要求信号を受信したか否かを判断する（ステップＳ２００）。スマートフォン１００から入室要求信号を受信されない場合には（ステップＳ２００：ＮＯ）、入退室管理サーバ３００のＣＰＵ３２０はスマートフォン１００から入室要求信号を受信するまで待機する。スマートフォン１００から入室要求信号を受信した場合には（ステップＳ２００：ＹＥＳ）、入退室管理サーバ３００は、制御部３２３によって、入室要求信号に含まれる認証ＩＤおよび入室日時と、入退室情報データベース３１０とに基づき認証処理を行う（ステップＳ２０２）。この認証処理では、施解錠装置４００の状態（施錠状態であるか解錠状態であるか）とは無関係に、入退室情報データベース３１０に記録された予約情報と、入室要求信号に含まれる認証ＩＤおよび入室日時とが照合され、その認証ＩＤの発行を受けたユーザが、その日時に部屋５００に入室できるか否かが判断される。
【００４６】
認証処理の結果、入室不可と判断された場合には（ステップＳ２０４：ＮＧ）、入退室管理サーバ３００のＣＰＵ３２０は、当該入試退室管理処理を終了させる。一方、入室可能と判断された場合には（ステップＳ２０４：ＯＫ）、入退室管理サーバ３００の制御部３２３は、スマートフォン１００に入室許可信号を送信する（ステップＳ２０６）。この入室許可信号には、入退室情報データベース３１０の予約情報に登録された終了予定日時が含まれる。スマートフォン１００に入室許可信号を送信すると、入退室管理サーバ３００の制御部３２３は、ステップＳ２００で受信した認証ＩＤと入室日時とを入退室情報データベース３１０に記録し（ステップＳ２０８）、入退室情報データベース３１０の予約情報に含まれる予約者のメールアドレス宛に、認証ＩＤに該当するユーザが部屋５００に入室した旨を通知する（ステップＳ２１０）。なお、このステップＳ２１０では、予約者だけではなく、予約情報に含まれる他の認証ＩＤに該当する者にも通知を行うこととしてもよい。
【００４７】
続いて、入退室管理サーバ３００の制御部３２３は、カメラ４５０から取得した撮影画像を画像解析部３２２によって解析して部屋５００に入室した人の人数をカウントし、その人数と、ステップＳ２０２の認証処理により入室を許可した人の人数とを照合する（ステップＳ２１２）。その結果、部屋５００に入室した人の人数の方が多ければ（ステップＳ２１４：ＮＯ）、無断で部屋５００に入室した者がいるおそれがあるので、入退室管理サーバ３００の制御部３２３は所定の手段で報知（警告）を行う（ステップＳ２１６）。この報知は、例えば、カメラ４５０に備えられた発光装置やスピーカから光や音を発することで行ってもよいし、電子メールを送信して、部屋５００の予約者や警備員に通知することとしてもよい。
【００４８】
上記ステップＳ１０２において、スマートフォン１００が入退室管理サーバ３００に入室要求信号を送信すると、その後、スマートフォン１００のＣＰＵ１３０は、入退室管理サーバ３００から入室許可信号を受信したか否かを判断する（ステップＳ１０４）。ステップＳ１０２において入室要求信号を送信したにもかかわらず、入室許可信号が受信されない場合には（ステップＳ１０４：ＮＯ）、スマートフォン１００のＣＰＵ１３０は、当該入退室管理処理を終了させる。入室許可信号を受信した場合には（ステップＳ１０４：ＹＥＳ）、スマートフォン１００のＣＰＵ１３０は、赤外線通信によって、施解錠装置４００に対して解錠指令を送信する（ステップＳ１０６）。そうすると、出入口５１０が解錠された状態となり、スマートフォン１００のユーザは部屋５００に入室することが可能になる。
【００４９】
スマートフォン１００のＣＰＵ１３０は、施解錠装置４００に対して解錠指令を送信すると、再び、識別情報受信部１３１によってアクセスポイント２００のＥＳＳＩＤ（「ＡＰ１」）が受信されたか否かを判断する（ステップＳ１０８）。アクセスポイント２００のＥＳＳＩＤを受信した場合には（ステップＳ１０８：ＹＥＳ）、部屋５００への入室後に再びスマートフォン１００がアクセスポイント２００に接近したことになるので、スマートフォン１００は、スマートフォン１００のユーザが退室すると判断し、信号送信部１３２により入退室管理サーバ３００に退室信号を送信する（ステップＳ１１０）。この退室信号には、認証ＩＤが含まれるとともに、ステップＳ１０８においてアクセスポイント２００のＥＳＳＩＤを受信した受信日時が退室日時として含まれる。なお、上記ステップＳ１０８の処理は、ステップＳ１０４で受信した入室許可信号に含まれる終了予定日時が近づいた場合（例えば、残り１０分等）に実行が開始されることとしてもよい。こうすることで、例えば、入室直後に誤ってアクセスポイント２００に接近してしまった場合に退室したと判断されてしまうことを防止することができる。
【００５０】
上記ステップＳ１０８において、識別情報受信部１３１により再びアクセスポイント２００のＥＳＳＩＤが受信されなかった場合には、スマートフォン１００のＣＰＵ１３０は、現在の日時が、入室許可信号に含まれる終了予定日時を超過したか否かを判断する（ステップＳ１１４）。現在の日時が終了予定日時を超過している場合には（ステップＳ１１４：ＹＥＳ）、スマートフォン１００のＣＰＵ１３０は、赤外線通信回路１９５によって、照明装置５３０と空調装置５２０とに対し電源オフ信号を送信し（ステップＳ１１６）、これらの装置の電源をオフにする。なお、本実施形態では、終了予定日時は、入退室管理サーバ３００からスマートフォン１００に送信さえる入室許可信号に含まれることとしたが、終了予定日時は、スマートフォン１００に予め記憶される認証ＩＤに符号化されて記録されていてもよい。
【００５１】
入退室管理サーバ３００は、信号受信部３２１により、スマートフォン１００から退室信号を受信すると、制御部３２３により、受信した退室信号に含まれる認証ＩＤと退室日時とを入退室情報データベース３１０の該当する予約情報に記録するとともに、該当する予約情報に含まれるすべての認証ＩＤを受信したか否かを判断する（ステップＳ２１８）、予約情報に含まれるすべての認証ＩＤを受信した場合には、入退室管理サーバ３００の制御部３２３は、入退室管理サーバ３００に対して施錠許可信号を送信する（ステップＳ２２０）。
【００５２】
スマートフォン１００のＣＰＵ１３０は、入退室管理サーバ３００から施錠許可信号を受信すると（ステップＳ１１２：ＹＥＳ）、赤外線通信回路１９５によって施解錠装置４００に施錠指令を送信する（ステップＳ１１４）。こうすることで、予約情報に含まれるすべての認証ＩＤに該当するユーザが退室した後に出入口５１０の施錠が行われることになる。以上で説明した一連の処理により、当該入退室管理処理は終了する。
【００５３】
以上で説明した本実施形態の入退室管理システム１０によれば、スマートフォン１００が部屋５００の出入口５１０付近に設置されたアクセスポイント２００のＥＳＳＩＤを受信した場合に、入退室管理サーバ３００にスマートフォン１００から入室要求信号が送信され、その入室要求信号に含まれる認証ＩＤに基づいて入退室管理サーバ３００により入室の許否が判断される。そのため、従来の非接触ＩＤカードのように、カードを読取装置にかざしたり物理的にタッチさせることなく入退室の管理を行うことができる。よって、利便性の高い入退室管理技術を提供することができる。また、本実施形態によれば、一般的に普及している無線ＬＡＮのアクセスポイント２００と、近年急速に普及が進むスマートフォン１００とを利用して入退室管理システム１０を構築することができるので、システムの導入費用を大幅に削減することが可能になる。
【００５４】
また、本実施形態では、部屋５００が施錠されているか解錠されているかにかかわらず、アクセスポイント２００のＥＳＳＩＤの受信を契機としてスマートフォン１００から送信される入室要求信号中の認証ＩＤに基づいて入室の許否が判断される。そのため、例えば、部屋５００が解錠された際に、その施錠を待つことなく他のユーザが後を追って部屋に入室しようとした場合であっても、そのユーザの入室の許否を的確に判断することができる。
【００５５】
また、本実施形態によれば、カメラ４５０によって撮影された者の人数と、認証ＩＤに基づいて入室が許可された者の人数とを照合し、これらが一致しない場合には、所定の報知手段によって報知を行うので、入室を許可されていない者が、無断で部屋に入室することを抑制することができる。
【００５６】
また、本実施形態によれば、予約情報に予め登録された認証ＩＤを有する者の入室が許可されたことが、予約者に自動的に通知されるため、予約者は、認証ＩＤを配布した利用者が入室したことを迅速に知ることができる。この結果、例えば、部屋５００への入室の受付や予約者への通知を行うための人員を削減することが可能になる。
【００５７】
また、本実施形態によれば、部屋５００の使用予定時間を超過してもスマートフォン１００がアクセスポイント２００のＥＳＳＩＤを再び受信しない場合（つまり、利用者が部屋５００を退出しない場合）には、部屋５００に備え付けられた照明装置５３０や空調装置５２０の電源がオフにされる。そのため、例えば、部屋５００で行われる会議時間が超過することが抑制され、また、エネルギー消費量の削減に貢献することができる。なお、照明装置５３０や空調装置５２０は、いずれか一方のみがオフにされることとしてもよいし、照明装置５３０の照度や、空調装置５２０の設定温度を変更するようにしてもよい。
【００５８】
また、本実施形態では、スマートフォン１００と入退室管理サーバ３００とは、アクセスポイント２００を介して通信を行うため、部屋５００の立地や電波環境等によってスマートフォン１００と入退室管理サーバ３００とが直接的に通信を行えないような環境であっても、入退室管理を的確に行うことができる。
【００５９】
Ｂ．第２実施形態：
図７は、本発明の第２実施形態としての入退室管理システム１０ａの概略構成を示す説明図である。上述した第１実施形態では、スマートフォン１００は、アクセスポイント２００を介して入退室管理サーバ３００に入室要求信号や退室信号を送信したが、本実施形態では、スマートフォン１００は、インターネット３０を介して入退室管理サーバ３００に直接的にこれらの信号を送信する。
【００６０】
図７に示されているように、第２実施形態の入退室管理システム１０ａでは、アクセスポイント２００は、入退室管理サーバ３００には接続されていない。また、スマートフォン１００と入退室管理サーバ３００とは、送受信アンテナ、基地局、交換局、インターネット３０を介して接続される。スマートフォン１００は、移動体通信網制御回路１１０（図２参照）を用いることで、入退室管理サーバ３００と通信を行う。
【００６１】
本実施形態の入退室管理システム１０ａにおいてスマートフォン１００および入退室管理サーバ３００が実行する入退室管理処理は、図６に示した入退室管理処理とほぼ同じである。異なる点は、スマートフォン１００と入退室管理サーバ３００とがアクセスポイント２００を介さず、直接的に通信を行う点である。
【００６２】
以上で説明した第２実施形態の入退室管理システム１０ａによれば、スマートフォン１００と入退室管理サーバ３００とが、移動体通信網およびインターネット３０によって接続されるので、入退室管理サーバ３００とアクセスポイント２００とが離間して設置され、ＬＡＮによって接続できないような場合であっても、的確に入退室の管理を行うことができる。
【００６３】
Ｃ．第３実施形態：
図８は、本発明の第３実施形態としての入退室管理システム１０ｂの概略構成を示す説明図である。上述した第１，２実施形態では、１つの部屋に１つのアクセスポイント２００を設置している。これに対して第３実施形態では、１つの部屋に対して、２つのアクセスポイント２００ａ，２００ｂを設置する。
【００６４】
図８に示されているように、本実施形態の入退室管理システム１０ｃでは、部屋５００ｂに入口５１０ａと出口５１０ｂとが設けられており、入口５１０ａ付近にアクセスポイント２００ａが、出口５１０ｂ付近にアクセスポイント２００ｂが、それぞれ設置されている。アクセスポイント２００ａの通信可能範囲ＡＲ１とアクセスポイント２００ｂの通信可能範囲ＡＲ２とは重複していない。本実施形態では、スマートフォン１００がアクセスポイント２００ａに接近すると、アクセスポイント２００ａのＥＳＳＩＤとして「ＡＰ１」が受信される。これに対して、スマートフォン１００がアクセスポイント２００ｂに接近すると、アクセスポイント２００ｂのＥＳＳＩＤとして「ＡＰ２」が受信される。アクセスポイント２００ａとアクセスポイント２００ｂの構成は、ＥＳＳＩＤが異なるだけであり、それ以外は図３に示したアクセスポイント２００の構成と同じである。
【００６５】
本実施形態の入退室管理システム１０ｂにおいてスマートフォン１００および入退室管理サーバ３００が実行する入退室管理処理は、図６に示した入退室管理処理とほぼ同じである。異なる点は、ステップＳ１００で受信するＥＳＳＩＤが、アクセスポイント２００ａのＥＳＳＩＤ（「ＡＰ１」）である点と、ステップＳ１０８で受信するＥＳＳＩＤが、アクセスポイント２００ｂのＥＳＳＩＤ（「ＡＰ２」）である点である。
【００６６】
以上で説明した第３実施形態の入退室管理システム１０ｂによれば、部屋５００ｂの入口５１０ａ付近に設置されたアクセスポイント２００ａと、出口５１０ｂ付近に設置されたアクセスポイント２００ｂとに、それぞれ異なるＥＳＳＩＤが設定されている。そのため、スマートフォン１００は、利用者が入室しようとしているのか、退室しようとしているのかを的確に判断することができる。なお、アクセスポイント２００ａとアクセスポイント２００ｂの通信可能範囲が重複している場合には、図６のステップＳ１００とステップＳ１０８とでは、電波強度の強い方のＥＳＳＩＤに基づき、各アクセスポイントのＥＳＳＩＤを受信したか否かを判断する。こうすることで、アクセスポイント２００ａとアクセスポイント２００ｂの通信可能範囲が重複している場合であっても、的確に入室か退室かの判断を行うことができる。
【００６７】
なお、第３実施形態においても、第２実施形態と同様に、スマートフォン１００は、入退室管理サーバ３００と、移動体通信網およびインターネットを介して直接的に通信を行うこととしてもよい。
【００６８】
また、本実施形態では、部屋５００ｂの入口５１０ａと出口５１０ｂとにそれぞれ１台ずつアクセスポイントを設置しているが、図１に示した出入口５１０の内側と外側にそれぞれ１台ずつアクセスポイントを設置することとしてもよい。具体的には、図１の出入口５１０付近の部屋５００の外側に入室用のアクセスポイント２００ａを設置し、部屋５００の内側に退室用のアクセスポイント２００ｂを設置する。こうすることによっても、入室と退室とを的確に判別することが可能である。
【００６９】
Ｄ．変形例：
以上、本発明の種々の実施形態について説明したが、本発明はこれらの実施形態に限定されず、その趣旨を逸脱しない範囲で種々の構成を採ることができる。例えば、ソフトウェアによって実現した機能は、ハードウェアによって実現するものとしてもよい。そのほか、以下のような変形が可能である。
【００７０】
・変形例１：
図６に示した入退室管理処理中の各処理は、適宜省略することが可能である。例えば、ステップＳ１１４，Ｓ１１６による空調装置５２０や照明装置５３０の制御、ステップＳ２１０による予約者への通知、ステップＳ２１２〜Ｓ２１６によるカメラ画像との照合、は、それぞれ省略することが可能である。また、例えば、ステップＳ２１８，Ｓ２２０による処理を省略し、終了予定時刻の経過後に、自動的に施錠を行うこととしてもよい。
【００７１】
・変形例２：
上記実施形態では、スマートフォン１００は、アクセスポイントをＥＳＳＩＤに基づいて識別しているが、ＥＳＳＩＤに替えて、例えば、ＢＳＳＩＤ（Basic Service Set Identifier）や、ＩＰアドレス、ＭＡＣアドレスによって識別してもよい。
【００７２】
・変形例３：
上記実施形態では、部屋５００内の空調装置５２０や照明装置５３０を、スマートフォン１００から赤外線信号を送信することによって制御している。これに対して、空調装置５２０や照明装置５３０は、入退室管理サーバ３００から制御されることとしてもよい。
【００７３】
・変形例４：
上記実施形態では、出入口５１０の施解錠は、スマートフォン１００と施解錠装置４００との間で赤外線通信が行われることで実現される。この赤外線通信では、セキュリティ向上のため、単位時間毎に解錠や施錠のための暗号鍵が変わることとしてもよい。また、上記実施形態では、スマートフォン１００が赤外線通信を行うことで施解錠装置４００により施解錠が行われることとしたが、入退室管理サーバ３００が施解錠装置４００に指令を与えることで施解錠を行うこととしてもよい。
【００７４】
・変形例５：
上記実施形態では、図６に示した入退室管理処理は、スマートフォン１００と入退室管理サーバ３００とにおいて常時実行されることとした。これに対して、スマートフォン１００側の処理は、ユーザが、部屋５００への入退室時にアプリケーションを起動させることで、手動で実行させることとしてもよい。このとき、例えば、入室モードか退室モードかを選択可能とすれば、入室と退室の区別を確実に行うことができる。また、アクセスポイントからの電波の受信を検知する小規模な常駐アプリケーションをスマートフォン１００に常時実行させておき、その常駐アプリケーションによってアクセスポイントからの電波の受信を検知した場合に、図６に示した入退室管理処理を自動的に開始させることとしてもよい。
【００７５】
・変形例６：
上記実施形態では、スマートフォン１００と無線親機（アクセスポイント）とは、無線ＬＡＮによって通信を行っている。これに対して、例えば、Ｂｌｕｅｔｏｏｔｈ（登録商標）や、近距離無線通信等に基づいて通信を行うこととしてもよい。
【００７６】
・変形例７：
上記実施形態において、スマートフォン１００は、入退室管理処理を実行するにあたり、ユーザからユーザＩＤと、パスワードの入力を受け付けるものとしてもよい。こうすることで、他人のスマートフォン１００を用いて出入口５１０の施解錠が行われてしまうことを防止することができる。
【００７７】
・変形例８：
上記実施形態では、スマートフォン１００から送信される入室要求信号や退室信号に入室日時や退室日時が含まれることとした。これに対して、スマートフォン１００から入室要求信号や退室信号を受信した場合に、入退室管理サーバ３００が、その受信日時を入室日時や退室日時として扱ってもよい。こうすることで、入退室管理サーバ３００により一元的に日時管理ができるので、スマートフォン１００毎の日時設定の誤差の影響を防止することができる。
【００７８】
・変形例９：
上記実施形態では、本発明の無線端末をスマートフォン１００に適用している。これに対して、本発明の無線端末は、一般的な携帯電話やノート型パソコン、タブレット端末、携帯情報端末（ＰＤＡ）、携帯音楽プレーヤ、携帯型ゲーム機、など、携帯可能な無線端末であれば、様々な装置を適用することが可能である。
【符号の説明】
【００７９】
１０，１０ａ，１０ｂ，１０ｃ…入退室管理システム
２０…ＬＡＮ
３０…インターネット
１００…スマートフォン
１１０…移動体通信網制御回路
１２０…無線ＬＡＮ制御回路
１３０…ＣＰＵ
１３１…識別情報受信部
１３２…信号送信部
１４０…ＲＡＭ
１５０…ＲＯＭ
１６０…モニタ
１７０…フラッシュメモリ
１８０…音声回路
１９０…タッチパネル
１９５…赤外線通信回路
２００，２００ａ，２００ｂ…アクセスポイント
２１０…無線ＬＡＮ制御回路
２２０…有線ＬＡＮ制御回路
２３０…ＬＡＮポート
２４０…主制御回路
２４１…ＣＰＵ
２４２…ＲＡＭ
２４３…ＲＯＭ
２４４…ＥＥＰＲＯＭ
２４５…通信制御回路
３００…入退室管理サーバ
３１０…入退室情報データベース
３２０…ＣＰＵ
３２１…信号受信部
３２２…画像解析部
３２３…制御部
３３０…ＲＡＭ
３４０…ネットワークインタフェース
３５０…ハードディスク
４００…施解錠装置
４５０…カメラ
５００，５００ｂ…部屋
５１０…出入口
５１０ａ…入口
５１０ｂ…出口
５２０…空調装置
５３０…照明装置
【図１】
2013204233.tif 000003
【図２】
2013204233.tif 000004
【図３】
2013204233.tif 000005
【図４】
2013204233.tif 000006
【図５】
2013204233.tif 000007
【図６】
2013204233.tif 000008
【図７】
2013204233.tif 000009
【図８】
2013204233.tif 000010